(57)【特許請求の範囲】
【請求項１】
押操作部がカバー体に設けられた開口窓から露出するように該カバー体に一端が押操作したときの支点となるよう固着配設された押釦ハンドルと、この押釦ハンドルの背面に押操作部を押操作したときにベースに設けた板ばねを押圧するとともに板ばねの付勢力にて皿ばねを押圧反転させてクリック感を得る押圧片を有する皿ばね機構を備えた押釦スイッチにおいて、
前記皿ばね機構では、皿ばねが、その周縁を支持するための載置面及び反転した同皿ばねの湾曲面が変位し当接する当接面の２面を有する皿ばね収納部に収納され、この載置面と当接面との段差寸法を、押操作時に周縁が同載置面で支持された皿ばねが押圧片と同当接面との間に挟持されるように設定して、同皿ばねの反転動作によりクリック感が得られるようになしたことを特徴とする押釦スイッチ。
【請求項２】
前記皿ばねは、周縁を支持するための載置面及び前記当接面の２面によって形成される皿ばね収納部に収納されることを特徴とする請求項１記載の押釦スイッチ。
【請求項３】
前記皿ばね及び当接面間に、押操作時に皿ばねが当接面に衝突する衝撃音を吸収する弾性体を有することを特徴とする請求項１又は２記載の押釦スイッチ。
【請求項４】
前記弾性体は、皿ばねの当接面に対向する面に貼着されることを特徴とする請求項３記載の押釦スイッチ。
【発明の詳細な説明】
【０００１】
【発明の属する技術分野】
本発明は、玄関用呼出装置等などにおいて呼出操作用に使用される押釦スイッチに関する。
【０００２】
【従来の技術】
例えば玄関用呼出装置等などにおいて呼出操作用に使用される押釦スイッチとしては、図６に示すものが提案されている。このものは、従来の押釦スイッチの、押釦ハンドルの押操作の感触や接点ばねの接触安定性を改善すべく本発明の発明者らにより出願されたもので、特願平０８−０３７８３４として開示されている。
【０００３】
この押釦スイッチ１は、押操作部３ａがカバー体２に設けられた開口窓２ａから露出するように、カバー体２に薄板舌片３ｂの一端が押操作したときの支点となるよう固着配設された押釦ハンドル３と、押釦ハンドル３の背面に押操作部３ａを押操作したときに、ベース４に設けた板ばね４ｅを押圧するとともに板ばね４ｅの付勢力にて皿ばね３ｉを押圧反転させてクリック感を得る押圧片３ｈを有する皿ばね機構５を備えたものである。
【０００４】
押釦ハンドル３は、押操作部３ａに薄板舌片３ｂを延設した形状とされ、薄板舌片３ｂは、押操作部３ａとほぼ同じ幅寸法に形成されている。そして、押釦ハンドル３の一端すなわち薄板舌片３ｂ先端が押操作部３ａの押操作において支点となるよう、カバー体２の内面２ｂに突設した突起２ｃを孔部３ｃに嵌入した後、その突出部分を熱溶着してカバー体２に固着配設している。カバー体２の内面２ｂは、図６（ｃ）に示すように、開口窓２ａに向けて湾曲面して形成されている。そして、この湾曲面に沿って薄肉舌片３ｂが取り付けられるので、押操作部３ａの押操作が解除されたときには、十分な弾性復元力が与えられ、自由端である押操作部３ａは元の押操作前の位置に直ちに復帰する。
【０００５】
押釦ハンドル３の背面に設けられた皿ばね機構５は、押操作部３ａを押操作したときに皿ばね３ｉを押圧反転させてクリック感を得るためのもので、押釦ハンドル３の裏面に設けられた突起３ｄに固着されている板状体３ｅに一対の駆動片３ｆが一体に突設され、この板状体３ｅと押釦ハンドル３の裏面との間隙部分に、押圧片３ｈが突設された鍔状体３ｇが嵌入され、この鍔状体３ｇの押圧片３ｈの裏面が、押釦ハンドル３の背面に配設された皿ばね３ｉに当接している。そして、押釦ハンドル３の押操作部３ａを押操作したときに、鍔状体３ｇの押圧片３ｈがベースに設けた板ばね４ｅを押圧するとともに板ばね４ｅの付勢力にて押圧片３ｈの裏面が皿ばね３ｉを押圧反転させ、この皿ばね３ｉが凹むことによって良好なクリック感が得られるように構成されている。この皿ばね３ｉは、非押操作時においては元の状態に瞬時に復帰する。
【０００６】
ベース４は、端子ねじ４ｂ、４ｂが螺合された一対の接続端子４ａ、４ａが設けられ、接点４ｄが、基端部をこの接続端子４ａの一方のものに固着された接点ばね４ｃの先端に設けられている。接点ばね４ｃは、基端部から先端部に向けて浮き上がり、中央部に長手方向に向けてコ字状に打ち抜かれて形成された板ばね４ｅを有している。接点４ｄの下方には、接続端子４ａの他方のものの端部が位置しており、従って、押釦ハンドル３の押操作部３ａを押操作することによって、一対の駆動片３ｆにより浮き上がり部分が押されて接点ばね４ｃに設けられている接点４ｄが接続端子４ａの他方のものの端部に接触し、接点が閉路状態となる。
【０００７】
なお、カバー体２の側壁内面には図示しない係止用突部が設けられており、このカバー体２を上方より押圧してこの係止用突部をベース４の対応箇所に設けられている係止用凹部に嵌合することによってベース４と連結固定される。
【０００８】
【発明が解決しようとする課題】
ところで、上記の押釦スイッチ１は、押釦ハンドルの押操作の感触や接触安定性の良好なものである。しかし、押操作部３ａの押操作あるいは押操作後に押操作部３ａから指を離すとき、皿ばね３ｉが反転する際の音が大きく、押釦スイッチを操作する人に対して不快感を与えるものであった。そして、押釦スイッチの接点の接触の安定性に対しても不安感を与えることがあった。
【０００９】
本発明は、上記事由に鑑みてなしたもので、その目的とするところは、押操作部を操作するときに良好なクリック感が得られて不快な操作音の発生しない押釦スイッチを提供することにある。
【００１０】
【課題を解決するための手段】
上記目的を達成するために、請求項１記載の押釦スイッチは、押操作部がカバー体に設けられた開口窓から露出するように該カバー体に一端が押操作したときの支点となるよう固着配設された押釦ハンドルと、この押釦ハンドルの背面に押操作部を押操作したときにベースに設けた板ばねを押圧するとともに板ばねの付勢力にて皿ばねを押圧反転させてクリック感を得る押圧片を有する皿ばね機構を備えた押釦スイッチにおいて、前記皿ばね機構では、皿ばねが、その周縁を支持するための載置面及び反転した同皿ばねの湾曲面が変位し当接する当接面の２面を有する皿ばね収納部に収納され、この載置面と当接面との段差寸法を、押操作時に周縁が同載置面で支持された皿ばねが押圧片と同当接面との間に挟持されるように設定して、同皿ばねの反転動作によりクリック感が得られるようになしている。これにより、皿ばねの反転時の微振動が減少するものとなる。
【００１１】
また、請求項２記載の押釦スイッチは、請求項１記載の皿ばねは、周縁を支持するための載置面及び前記当接面の２面によって形成される皿ばね収納部に収納されることとしている。これにより、皿ばねの反転に際して周縁から排出される空気が少ないものとなる。
【００１２】
また、請求項３記載の押釦スイッチは、請求項１又は２記載の皿ばね及び当接面間に、押操作時に皿ばねが当接面に衝突する衝突音を吸収する弾性体を有することとしている。これにより、押操作部を押操作したときに皿ばねが反転し、押圧片、当接面間に弾性体を介して狭持されるものとなる。
【００１３】
また、請求項４記載の押釦スイッチは、請求項３記載の弾性体は、皿ばねの当接面に対向する面に貼着されることとしている。これにより、皿ばねの打ち抜き加工の際に、弾性体材料によるシート材料の貼着された打ち抜き加工用材料を金型によって打ち抜き成形することが可能なものとなる。
【００１４】
【発明の実施の形態】
以下、本発明の押釦スイッチの第１の実施の形態を図１乃至図３に基づいて、第２の実施の形態を図４に基づいて、第３の実施の形態を図５に基づいてそれぞれ説明する。なお、従来例のものと同じ部材については同一の符号を付している。
【００１５】
［第１の実施の形態］
図１は、第１の実施の形態の押釦スイッチのカバー体及び押釦ハンドルの分解斜視図である。図２は、図１に示す押釦スイッチの要部である皿ばね機構の断面拡大図で、（ａ）は通常状態、（ｂ）は押操作状態である。図３は、比較のための、従来例の皿ばね機構の断面拡大図で、（ａ）は通常状態、（ｂ）は押操作状態である。
【００１６】
この押釦スイッチ１も、従来例と実質的に同一機能のカバー体２、押釦ハンドル３、ベース４、皿ばね機構５を備えている。
【００１７】
このものの皿ばね機構５は、図２に示すように、当接面３ｊを有している。詳しくは、このものの皿ばね３ｉは、従来例のものと同じ板状体３ｅと押釦ハンドル３の裏面との間隙部分である皿ばね収納部５ａに収納されるが、この皿ばね収納部５ａは、反転した皿ばね３ｉの湾曲面が変位し当接する当接面３ｊと、皿ばね３ｉの周縁を支持するための載置面３ｋとを有して形成される。この載置面３ｋと当接面３ｊとの段差寸法は、例えばこの実施の形態のものの板厚寸法０．０８ｍｍ、直径寸法１２ｍｍ、荷重前の湾曲面高さ０．４ｍｍの皿ばね３ｉにおいては、大略０．２ｍｍに設定されている。
【００１８】
このものによれば、図２（ｂ）に示すように、皿ばね３ｉは、押操作部３ａを押操作したときに反転して皿ばね３ｉの湾曲面が変位するが、押圧片３ｈ、当接面３ｊ間に狭持されることにより皿ばね３ｉの反転時の微振動が減少する。その結果、図３に示す従来例のものに比べ、皿ばね３ｉの反転により良好なクリック感が得られて不快な操作音の発生しないものとなる。
【００１９】
［第２の実施の形態］
図４は、第２の実施の形態の押釦スイッチの要部である皿ばね機構の断面拡大図で、（ａ）は通常状態、（ｂ）は押操作状態である。
【００２０】
このものは、第１の実施の形態とは皿ばね収納部５ａの構成のみが異なっている。
【００２１】
すなわち皿ばね収納部５ａは、皿ばね３ｉの周縁を支持するための載置面３ｋ及び前記当接面３ｊの２面によって形成されている。そして、皿ばね３ｉと皿ばね３ｉの対向面との間に介在する空気量が少ないものとなる。
【００２２】
このものによれば、図３（ｂ）に示すように、押操作部３ａを押操作したときに皿ばね３ｉが反転し、そのときに圧縮される空気量が、第１の実施の形態のものより少ないものとなって皿ばね３ｉの反転に際して周縁から排出される空気も少なくなり、以て、皿ばね３ｉの微振動がより減少する。
【００２３】
［第３の実施の形態］
図５は、第３の実施の形態の押釦スイッチの要部である皿ばね機構の断面拡大図で、（ａ）は通常状態、（ｂ）は押操作状態である。
【００２４】
このものは、第１の実施の形態とは皿ばね機構５の構成のみが異なっている。
すなわちこのものの皿ばね機構５は、皿ばね３ｉ及び当接面３ｊ間に、押操作時に皿ばねが当接面に衝突する衝突音を吸収する弾性体３ｍを有している。この弾性体３ｍは、例えば裏面に接着剤が塗布されているポリエチレンフィルム材料によって形成され、皿ばね３ｉの当接面３ｊに対向する面に貼着されている。また、このものは、載置面３ｋと当接面３ｊとの段差寸法は、例えばこの実施の形態のものの板厚寸法０．０８ｍｍ、直径寸法１２ｍｍ、荷重前の湾曲面高さ０．４ｍｍの皿ばね３ｉにおいては大略０．３ｍｍに設定されている。
【００２５】
このものによれば、大略０．１ｍｍの厚さ寸法をもっている弾性体３ｍを有することにより、図５（ｂ）に示すように、押操作部３ａを押操作したときに皿ばね３ｉが反転し、押圧片３ｈ、当接面３ｊ間に弾性体３ｍを介して狭持されることによって、皿ばね３ｉの微振動がより減少する。また、弾性体３ｍが皿ばね３ｉの当接面３ｊに対向する面に貼着されている構成においては、皿ばね３ｉの打ち抜き加工の際に、前もって皿ばね３ｉの打ち抜き加工用材料と大略同一の外形寸法をもった弾性体材料によるシート材料を貼着し、このシート材料の貼着された打ち抜き加工用材料を金型によって打ち抜き成形することが可能である。その結果、皿ばね機構５の組立工程における弾性体３ｍと貼着する作業が付加され組立作業時間が長くなることによるコストアップが回避でき、弾性体３ｍの追加に伴うコスト上昇を低く抑えることがことができる。
【００２６】
なお、上記の第３の実施の形態の説明において、弾性体は、皿ばねの当接面に対向する面に貼着されたものを例示して説明したが、本発明はそのもののみに限定するものでなく、例えば弾性体が当接面に貼着されるものであってもよい。
【００２７】
【発明の効果】
請求項１記載の押釦スイッチは、皿ばねの反転時の微振動が減少するものとなるので、皿ばねの反転により良好なクリック感が得られて不快な操作音の発生しないものとなる。
【００２８】
また、請求項２記載の押釦スイッチは、請求項１記載のものの効果に加え、皿ばねの反転に際して周縁から排出される空気が少ないものとなるので、皿ばねの微振動がより減少する。
【００２９】
また、請求項３記載の押釦スイッチは、請求項１又は２記載のものの効果に加え、押操作部を押操作したときに皿ばねが反転し、押圧片、当接面間に弾性体を介して狭持されるものとなるので、皿ばねの微振動がより減少する。
【００３０】
また、請求項４記載の押釦スイッチは、請求項３記載のものの効果に加え、皿ばねの打ち抜き加工の際に、弾性体材料によるシート材料の貼着された打ち抜き加工用材料を金型によって打ち抜き成形することが可能なものとなるので、弾性体の追加に伴うコスト上昇を低く抑えることがことができる。
【図面の簡単な説明】
【図１】本発明の第１の実施の形態の押釦スイッチのカバー体及び押釦ハンドルの分解斜視図である。
【図２】図１に示す押釦スイッチの要部である皿ばね機構の断面拡大図で、（ａ）は通常状態、（ｂ）は押操作状態である。
【図３】従来例の皿ばね機構の断面拡大図で、（ａ）は通常状態、（ｂ）は押操作状態である。
【図４】第２の実施の形態の押釦スイッチの要部である皿ばね機構の断面拡大図で、（ａ）は通常状態、（ｂ）は押操作状態である。
【図５】第３の実施の形態の押釦スイッチの要部である皿ばね機構の断面拡大図で、（ａ）は通常状態、（ｂ）は押操作状態である。
【図６】押釦スイッチを示す図で、（ａ）は正面図、（ｂ）はカバー体を除いた状態の正面図、（ｃ）は側面断面図である。
【符号の説明】
１    押釦スイッチ
２    カバー体
２ａ  開口窓
３    押釦ハンドル
３ａ  押操作部
３ｈ  押圧片
３ｉ  皿ばね
３ｊ  当接面
３ｋ  載置面
３ｍ  弾性体
４ｅ  板ばね
５    皿ばね機構
【図１】
0003778627.tif 000002
【図２】
0003778627.tif 000003
【図３】
0003778627.tif 000004
【図４】
0003778627.tif 000005
【図５】
0003778627.tif 000006
【図６】
0003778627.tif 000007